(57)【要約】【課題】深い底まで早く到達し、ジギングしたときに大きな音が発生するルアーを、簡単な構成によって提供すること。【解決手段】中実金属によって形成されて、外観が疑似餌となっているルアー本体１１と、このルアー本体１１の前後から露出して、釣用糸またはワイヤ及び釣針がそれぞれ取り付けられる釣糸連結部１２ａ及び釣針連結部１２ｂと、これらの釣針連結部１２ｂ及び釣糸連結部１２ａの間に位置するルアー本体１１に取り付けられて、軸心が釣針連結部１２ｂ及び釣糸連結部１２ａの位置する方向となるとともに、一部がルアー本体１１から露出する金属製のラトル１３とにより構成したこと。【選択図】図４
2008182994.tif 000002
【特許請求の範囲】
【請求項１】
深く沈めて上下に踊らせるジギング釣り用のルアーであつて、
中実金属によって形成されて、外観が疑似餌となっているルアー本体と、このルアー本体の前後から露出して、釣用糸またはワイヤ及び釣針がそれぞれ取り付けられる釣糸連結部及び釣針連結部と、これらの釣針連結部及び釣糸連結部の間に位置する前記ルアー本体に取り付けられて、軸心が前記釣針連結部及び釣糸連結部の位置する方向となるとともに、一部が前記ルアー本体から露出する金属製のラトルとにより構成したことを特徴とするジギング釣り用のルアー。
【請求項２】
先端のそれぞれに前記釣針連結部及び釣糸連結部を有し、中程にラトル取付部を有する金属製ワイヤを前記ルアー本体内に埋設して、この金属製ワイヤの前記ラトル取付部に前記ラトルを取り付けるようにしたことを特徴とする請求項１に記載のジギング釣り用のルアー。
【発明の詳細な説明】
【技術分野】
【０００１】
本発明は、ルアーに関し、特にジギング釣り用のルアーに関するものである。
【背景技術】
【０００２】
ジギング釣りは、釣りのテクニックの一つであり、餌または疑似餌を底まで沈めて、この底直上にいる魚の目の前で、餌または疑似餌をジギング（ｊｉｇｇｉｎｇ：上下に踊る）させるものである。通常、このジギング釣りは、深い底の魚を狙うものであり、そのためのルアーとしては重いものが好まれ使用される。
【０００３】
また、従来より、深い所にいる魚は音に敏感で、音がすると周囲に逃げたり隠れたりしてしまって釣ることができないから、ジギング釣りではラトルのような音を出すための釣り具は使用しないのがよい、と言われていた。しかしながら、本発明者等の知見によるとそうではないらしく、逆に深くて暗い場所で音がすると、魚が却って興味を持って近づいてくることがあり、そのような魚種が実際にいるようである。
【０００４】
そうなると、深い底の魚を狙うジギング釣りにラトルを使用すると、良い釣果が得られそうなので、本発明者が「ルアー」や「ジギング」及び「ラトル」について種々検索してみた結果、特許文献１〜特許文献３の文献が見つかった。
【特許文献１】特開２００１−１５７５３１号公報、要約、代表図
【特許文献２】特開２０００−３５４４３５号公報、要約、代表図
【特許文献３】特開２００１−２３１４０７号公報、要約、代表図
【発明の開示】
【発明が解決しようとする課題】
【０００５】
特許文献１には、「魚の針への引っかかりがよいメタルジグを提供する」ことを目的とした「ルアー」が示されており、この「ルアー」は、図９にも示すように、「金属製ルアー本体１１と、ルアー本体１１内部に長手方向に伸びて配置され金属製ワイヤ１２とを有している。ワイヤ１２は窪み部２０付近においてルアー本体１１の上下方向に広がって菱形状に配置され、窪み部２０を形成するスペースをワイヤ１２が占有しないようになっている。ユーザは、必要に応じて、窪み部２０よりルアー本体１１を幅方向に突き破って貫通孔を形成する。そして、この貫通孔に釣針を係止する」といった構成を有するものである。
【０００６】
しかしながら、この特許文献１に示されたルアーは、いわば一般的な形態のものを示すだけで、音を出せる機能は有していないものである。
【０００７】
これに対して、特許文献２には、「ラトル音を効率的に水中に響かせることが可能なラトルルアーを提供する」ことを目的とした「ルアー」が示されている。このルアーでは、図１０及び図１１に示すように、「ラトルルーム２０は金属製の筒状部材であって、筒状の本体部２１と、本体部２１と一体的に形成され本体部２１の一端側を閉塞する底部２２と、本体部２１の他端側に脱着自在に装着される蓋部２３とを有している。本体部２１は内部にラトルボール２５を収納可能な中空を有している。この本体部２１は底部２２及び蓋部２３がルアー本体１の両側面より外部に露出するように、ルアー本体１の第３貫通孔Ｐ３にはめ込まれて接着剤等で固定されている」といった構成を有するものである。従って、この特許文献２のルアーでは、ラトルルーム２０内で複数のラトルボール２５が動くことによって音が出ると考えられる。
【０００８】
しかしながら、この特許文献２のルアーでは、図１０及び図１１の両例においては、ラトルルーム２０の軸心方向が釣り糸方向に対して略直交（図１０の場合）または斜め（図１１の場合）になるため、もし、このルアーをジギング、つまり上下動（釣りでは「しゃくる」といわれる）させた場合、中のラトルボール２５にはそんなに大きな慣性力が働かず、ラトルルーム２０内で大きく動くことができないことになり、結果的に音の発生は小さいものと考えられる。
【０００９】
それよりなにより、この特許文献２に記載されているルアーは、そのルアー本体が木製であったり、図１１に示したように、内部に空間を有しているから、当該ルアーを底まで素早く沈めることが困難なものとなっている。
【００１０】
特許文献３には、「耐久性に優れ、ルアーアクションに伴い発生する音で大きな集魚効果を得ることができるルアーを提供すること」を目的としてなされた「ルアー」が示されている。そして、このルアーは、図１２にも示すように、「ルアー本体内に、当該ルアー本体の左右方向の両端部に金属板を配置した収納部と、当該収納部内に移動可能に収納された金属または硬質な樹脂製の球体とからなる音響発生装置を設けた」ものである。
【００１１】
この特許文献３のルアーでは、特許文献２におけるラトルボールを入れたラトルルームと同様なものを設けるものであるから、音を発生し得ると考えられる。しかしながら、この特許文献３の段落００２４には、「ルアー本体５９が音の伝導性のよい鉛で成形されていることも相俟って、この大きな音が、ルアー６１の内部に籠もることなく水中に伝わっていくこととなる」と記載されているが、この点が疑問である。
【００１２】
一般に、「鉛」は柔らかい材料であるため、音の伝導性は非常に悪いものである。同じ大きさの金槌で、同じ大きさの鉛板と鉄板を叩き比べてみれば直ぐ分かる通り、鉄板の方が断然高くて大きい音がする筈である。従って、特許文献３におけるように、「ルアー本体５９が（音の伝導性のよい）鉛で成形されている」と、音は思う程出ないものである。
【００１３】
そこで、本発明者等は、深い底まで早く到達し、ジギングしたときに大きな音が発生するルアーとするにはどうしたらよいか、について種々検討を重ねてきた結果、本発明を完成したのである。
【００１４】
すなわち、本発明の目的とするところは、深い底まで早く到達し、ジギングしたときに大きな音が発生するルアーを、簡単な構成によって提供することにある。
【課題を解決するための手段】
【００１５】
以上の課題を解決するために、まず、請求項１に係る発明の採った手段は、後述する最良形態の説明中で使用する符号を付して説明すると、
「深く沈めて上下に踊らせるジギング釣り用のルアー１０であつて、
中実金属によって形成されて、外観が疑似餌となっているルアー本体１１と、このルアー本体１１の前後から露出して、釣用糸またはワイヤ及び釣針がそれぞれ取り付けられる釣糸連結部１２ａ及び釣針連結部１２ｂと、これらの釣針連結部１２ｂ及び釣糸連結部１２ａの間に位置するルアー本体１１に取り付けられて、軸心が釣針連結部１２ｂ及び釣糸連結部１２ａの位置する方向となるとともに、一部がルアー本体１１から露出する金属製のラトル１３とにより構成したことを特徴とするジギング釣り用のルアー１０」
である。
【００１６】
すなわち、この請求項１に係るルアー１０は、基本構成が特許文献２や３のそれと略同じではあるが、ルアー１０の設け方が全く異なるものである。つまり、本発明に係るルアー１０では、ラトル１３をその一部が露出し得るようにしながらルアー本体１１に取り付けるとともに、その取付方向として、ラトル１３の軸心が、図１及び図５に示すように、釣針連結部１２ｂ及び釣糸連結部１２ａを結ぶ直線上に位置するようにしているのである。
【００１７】
ラトル１３の軸心と、釣針連結部１２ｂ及び釣糸連結部１２ａの位置する方向とが略同じであることは、当該ルアー１０を釣糸連結部１２ａ側の釣糸によってジギングしたときの、後述するラトルボール１３ａが上下し得る空間が大きく存在していること意味している。換言すれば、ジギングしたときの、各ラトルボール１３ａに加えられるエネルギ−を増大させることを意味して、各ラトルボール１３ａ同士の衝突は勿論、各ラトルボール１３ａのラトル１３を構成している筒に対する衝突も、大きな音を伴ってなされることになるのである。
【００１８】
このラトル１３が発した大きな音は、このラトル１３の一部がルアー本体１１から露出していることによって、（海）水中に直接的かつ広範囲に伝播することになる。
【００１９】
勿論、当該ルアー１０を構成しているルアー本体１１は、中実金属によって形成されているため重いものとなっているから、ジギングしたときの竿の上下動に略完全に同期し、ラトル１３からの音が十分伝播することとも相まって、深い底にいる魚を効率的に釣ることができるのである。
【００２０】
従って、この請求項１のルアー１０は、深い底まで早く到達し、ジギングしたときに大きな音を発生させ得るものとなっているのである。
【００２１】
上記課題を解決するために、請求項２に係る発明の採った手段は、上記請求項１に記載のジギング釣り用のルアー１０について、
「先端のそれぞれに釣針連結部１２ｂ及び釣糸連結部１２ａを有し、中程にラトル取付部１２ｃを有する金属製ワイヤ１２をルアー本体１１内に埋設して、この金属製ワイヤ１２のラトル取付部１２ｃにラトル１３を取り付けるようにしたこと」
である。
【００２２】
すなわち、この請求項２のルアー１０においては、これを構成している金属製ワイヤ１２の中程に、図５及び図６に示すように、ラトル取付部１２ｃを有するものであり、このラトル取付部１２ｃに上述したラトル１３を取り付けるようにしたものである。
【００２３】
このラトル取付部１２ｃは、金属製ワイヤ１２を折り曲げることにより簡単に形成できるものであり、しかもこれに対する上述したラトル１３の取り付けを容易にするものである。何故なら、このラトル取付部１２ｃは、形状の決められているラトル１３に合わせて形成しておけばよく、このラトル取付部１２ｃ内にラトル１３を挿入して溶着または接着すればよいからである。
【００２４】
また、このラトル取付部１２ｃは、その周囲にルアー本体１１を形成する場合の位置決めの目安ともなるものであり、例えば、ルアー本体１１を形成する型内に対する金属製ワイヤ１２の収納位置を簡単に決めることができるものでもある。このため、このラトル取付部１２ｃを利用して金属製ワイヤ１２を型内に収納しておき、この型内に溶融した金属、例えば鉛を流し込むだけで、釣糸連結部１２ａ及び釣針連結部１２ｂが両端に規定量突出したルアー本体１１を形成できるのである。
【００２５】
従って、この請求項２のルアー１０は、上記請求項１のそれと同様な機能を発揮する他、製造を容易にすることができるものとなっているのである
【発明の効果】
【００２６】
以上、説明した通り、本発明においては、
「深く沈めて上下に踊らせるジギング釣り用のルアー１０であつて、
中実金属によって形成されて、外観が疑似餌となっているルアー本体１１と、このルアー本体１１の前後から露出して、釣用糸またはワイヤ及び釣針がそれぞれ取り付けられる釣糸連結部１２ａ及び釣針連結部１２ｂと、これらの釣針連結部１２ｂ及び釣糸連結部１２ａの間に位置するルアー本体１１に、軸心が釣針連結部１２ｂ及び釣糸連結部１２ａの位置する方向となるとなるように、一部がルアー本体１１から露出する金属製のラトル１３とにより構成したこと」
にその主たる特徴があり、これにより、深い底まで早く到達し、ジギングしたときに大きな音が発生するルアー１０を、簡単な構成によって提供することができるのである。
【発明を実施するための最良の形態】
【００２７】
次に、上記のように構成した各請求項に係る発明を、図面に示した最良の形態であるルアー１０について説明すると、図１には、本発明に係るルアー１０の正面図が示してある。
【００２８】
このルアー１０は、中実金属によって形成されて、外観が疑似餌となっているルアー本体１１と、このルアー本体１１の前後から露出して、釣用糸またはワイヤ及び釣針がそれぞれ取り付けられる釣糸連結部１２ａ及び釣針連結部１２ｂを端部に有する金属製ワイヤ１２と、これらの釣針連結部１２ｂ及び釣糸連結部１２ａの間に位置するルアー本体１１に、軸心が釣針連結部１２ｂ及び釣糸連結部１２ａの位置する方向となるとなるように、一部がルアー本体１１から露出する金属製のラトル１３とにより構成したものである。
【００２９】
ルアー本体１１は、当該ルアー１０を深いところに早く沈めるものであるから、図５にも示したように、中実な金属によって一体的に形成したものである。金属として何を採用してもよいが、本最良形態では、ステンレスやタングステン合金、鉛、亜鉛、あるいはこれらの合金である真鍮を採用している。特に、鉛を採用する場合には、当該ルアー本体１１を大きな音の発生源にはしにくいが、その分はラトル１３が露出していることで補え、当該ルアー１０を安価にかつ容易に製造することができる。
【００３０】
勿論、このルアー本体１１の表面には、図１にも示したように、疑似餌となる装飾が施してあり、このルアー１０を底魚が食らいついたり追いかけたくなるようにしてある。
【００３１】
金属製ワイヤ１２は、文字通り金属製のものであり、ステンレスワイヤ、鉄線にメッキを施したもの等、曲げて形成した形状が維持できるものであれば、何であってもよい。つまり、この金属製ワイヤ１２は、その先端に、図５及び図６に示したように、釣糸が連結される釣糸連結部１２ａ及び釣針が連結される釣針連結部１２ｂを曲げ形成したものである。また、この金属製ワイヤ１２の中程には、当該金属製ワイヤ１２を曲げて形成した二つの凸部によってラトル取付部１２ｃが形成してある。勿論、二つの凸部の間の距離は、ラトル１３の長さと同じになっている。
【００３２】
ラトル１３は、図７及び図８に示したように、円筒と、この円筒の両端を塞ぐ蓋体と、円筒内に収納される複数のラトルボール１３ａとからなっている。これらのラトル１３を構成している各部品は、全て金属製のものであり、これらが互いに衝突し合ったときは音が発生するものである。なお、ラトルボール１３ａは、その各々の大きさや材質を変えることにより、変化に富んだ音を発生させることができる。
【００３３】
そして、このラトル１３は、図１及び図２に示したように、ルアー本体１１から一部を露出させた状態で、当該ルアー本体１１に形成した収納穴内に露出している金属製ワイヤ１２のラトル取付部１２ｃを利用して、ルアー本体１１と一体化されるのである。このラトル１３のルアー本体１１に対する一体化は、溶着であっても、接着であってもよい。
【図面の簡単な説明】
【００３４】
【図１】本発明に係るルアーの正面図である。
【図２】同ルアーの底面図である。
【図３】同ルアーの平面図である。
【図４】同ルアーの側面図である。
【図５】同ルアーの拡大縦断面図である。
【図６】同ルアーに使用されている金属製ワイヤの拡大正面図である。
【図７】同ルアーに使用されているラトルの正面図である。
【図８】同ルアーに使用されているラトルの分解斜視図である。
【図９】特許文献１に示されたルアーの正面図である。
【図１０】特許文献２に示されたルアーのラトルを中心に見た縦断面図である。
【図１１】特許文献２に示された他のルアーの縦断面図である。
【図１２】特許文献３に示されたルアーの正面図である。
【符号の説明】
【００３５】
１０    ルアー
１１    ルアー本体
１２    金属製ワイヤ
１２ａ  釣糸連結部
１２ｂ  釣針連結部
１２ｃ  ラトル取付部
１３    ラトル
１３ａ  ラトルボール
【図１】
2008182994.tif 000003
【図２】
2008182994.tif 000004
【図３】
2008182994.tif 000005
【図４】
2008182994.tif 000006
【図５】
2008182994.tif 000007
【図６】
2008182994.tif 000008
【図７】
2008182994.tif 000009
【図８】
2008182994.tif 000010
【図９】
2008182994.tif 000011
【図１０】
2008182994.tif 000012
【図１１】
2008182994.tif 000013
【図１２】
2008182994.tif 000014